(57)【要約】縦挽き鋸ブーツ１０はキヤリア１４を動力車両の軸部に固持され、刃収容部は掘削刃１６を嵌合するテーパ孔からなるソケツト２８を有する。掘削刃１６は軸部３２と軸部３２よりも短く一部が高抗張力材料からなる頭部３０とを有する。掘削刃１６の軸部３２はソケツト２８に嵌合され、かつ保持ピン２４により固定される。掘削刃１６の頭部３０は外方へ延びる肩４２を備えており、ソケツト２８の内部から掘削刃１６の取外しに都合よくなつている。刃収容部の排出孔４４も、縦挽き鋸ブーツ１０の外部からソケツト２８の基部へ延びる特殊な工具を挿入して掘削刃１６の取外しを可能にする。
2009506232.tif 000002
【特許請求の範囲】
【請求項１】
動力車両の軸部に固く連結されたキヤリアと、該キヤリアに設けた内方テーパ状をなすテーパ孔を有するソケツトからなる刃収容部と、前記ソケツトのテーパ孔に対応するテーパ軸部と該テーパ軸部よりも短く少くとも一部が高抗張力材料で構成される頭部とを有する掘削刃とを具備ことを特徴とする縦挽き鋸ブーツ。
【請求項２】
前記掘削刃の頭部は前記テーパ軸部の長さの半分である、請求項１に記載の縦挽き鋸ブーツ。
【請求項３】
前記ソケツトのテーパ孔にこれに対応するテーパ軸部が分離可能に嵌合する、請求項１，２のいずれかに記載の縦挽き鋸ブーツ。
【請求項４】
前記ソケツトのテーパ孔と掘削刃のテーパ軸部の各断面は、角隅部に丸みをもつ方形のものである、請求項１〜３のいずれかに記載の縦挽き鋸ブーツ。
【請求項５】
前記ソケツトのテーパ孔と掘削刃のテーパ軸部の各断面は、円形のものである、請求項１〜３のいずれかに記載の縦挽き鋸ブーツ。
【請求項６】
前記刃収容部とソケツトは前記キヤリアの長手方向軸線に沿つて配設される、請求項１〜５のいずれかに記載の縦挽き鋸ブーツ。
【請求項７】
前記掘削刃はテーパ軸部と該テーパ軸部を横切る溝とを備えており、前記テーパ軸部が前記ソケツトのテーパ孔に係合する時、両者は同軸に並び保持ピンの挿入を許す、請求項６に記載の縦挽き鋸ブーツ。
【請求項８】
前記掘削刃の頭部から径外方へ延びかつ工具を当てる肩により、ソケツトから掘削刃を取外し可能にする、請求項１〜７のいずれかに記載の縦挽き鋸ブーツ。
【請求項９】
前記刃収容部は前記キヤリアの中空部に連なる排出孔を備えており、縦挽き鋸ブーツの外部から前記ソケツトの基部へ特殊な工具を挿入して掘削刃の離脱を可能にする、請求項１〜８のいずれかに記載の縦挽き鋸ブーツ。
【請求項１０】
前記掘削刃の頭部は円錐形をなし、頭部の先端には先端が丸みのある、高抗張力材料からなるチツプを結合される、請求項１〜９のいずれかに記載の縦挽き鋸ブーツ。
【請求項１１】
前記高抗張力材料からなるチツプはタングステン金属からつくられる、請求項１０に記載の縦挽き鋸ブーツ。
【請求項１２】
ブルドーザの支持具または同効装置に取り付けられるものであつて、前記支持具に固く取り付けられるキヤリアと、前記キヤリアの長手方向軸線に対し一定の角度に延びるテーパ孔からなるソケツトを有する刃収容部と、頭部が軸部よりも短く一部が高抗張力材料で構成される掘削刃とを具備し、前記ソケツトのテーパ孔に前記掘削刃のテーパ軸部が分離可能に嵌合することを特徴とする縦挽き鋸ブーツ。
【請求項１３】
前記掘削刃の頭部は前記軸部の長さのほぼ半分である、請求項１２に記載の縦挽き鋸ブーツ。
【請求項１４】
前記ソケツトのテーパ孔の内面と対応する掘削刃のテーパ軸部の外面とが接してテーパ係合を達成する、請求項１２，１３のいずれかに記載の縦挽き鋸ブーツ。
【請求項１５】
前記ソケツトのテーパ孔と掘削刃のテーパ軸部の各断面は角隅部が丸みを有する方形のものである、請求項１２〜１４に記載の縦挽き鋸ブーツ。
【請求項１６】
前記ソケツトのテーパ孔と掘削刃のテーパ軸部の各断面は円形のものである、請求項１２〜１４に記載の縦挽き鋸ブーツ。
【請求項１７】
前記キヤリアは通常掘削面の方へ垂直に向けられ、掘削刃の打ち角はキヤリアの長手方向軸線から前方に向けられ、掘削刃の頭部が前記掘削面とほぼ平行になつている、請求項１２〜１６に記載の縦挽き鋸ブーツ。
【請求項１８】
前記打ち角はキヤリアの長手方向軸線から上方へ０〜９０°である、請求項１７に記載の縦挽き鋸ブーツ。
【請求項１９】
前記打ち角はキヤリアの長手方向軸線から上方へ０〜１０°である、請求項１７に記載の縦挽き鋸ブーツ。
【請求項２０】
前記打ち角はキヤリアの長手方向軸線から上方へ６°である、請求項１７〜１９に記載の縦挽き鋸ブーツ。
【請求項２１】
前記掘削刃の取付部は前記キヤリアと一体の剛固な固定部材になつており、前記固定部材はキヤリアから一定の角度に延びている、請求項１２〜２０に記載の縦挽き鋸ブーツ。
【請求項２２】
前記ソケツトは固体部材の内部に形成されかつ掘削刃取付部と同じ中心軸線に沿つて延びる、請求項２１に記載の縦挽き鋸ブーツ。
【請求項２３】
前記掘削刃の取付部はキヤリアと一体の固体部材であり、キヤリアの中心軸線に沿つて延びている、請求項１２〜２０に記載の縦挽き鋸ブーツ。
【請求項２４】
前記ソケツトは前記固体部材の内部に形成され、キヤリアの中心軸線に関して所定の角度に延びる、請求項２３に記載の縦挽き鋸ブーツ。
【請求項２５】
前記刃収容部と前記掘削刃のテーパ軸部とはこれらを横切る溝をそれぞれ備えており、前記掘削刃のテーパ軸部が前記ソケツトのテーパ孔に係合する時前記各溝は互いに重なり、保持ピンの挿入を許す、請求項１２〜２４に記載の縦挽き鋸ブーツ。
【請求項２６】
前記掘削刃の頭部から径外方へ延びかつ工具を当てる肩により、掘削刃の取外しを可能にする、請求項１２〜２５に記載の縦挽き鋸ブーツ。
【請求項２７】
前記掘削刃の収容手段は、前記キヤリアの中空部から前記ソケツトへ延びる排出孔により、前記掘削刃の前記ソケツトからの取外しを可能にする、請求項１２〜２６に記載の縦挽き鋸ブーツ。
【請求項２８】
前記掘削刃の円錐形をなす頭部は、先端に高抗張力材料からなるチツプを結合される、請求項１２〜２７に記載の縦挽き鋸ブーツ。
【請求項２９】
前記チツプを形成する高抗張力材料はタングステン金属からなる、請求項２８に記載の縦挽き鋸ブーツ。
【請求項３０】
動力車両から前方へ突出するブームに水平軸により回転可能に支持した突片からなるタインに、キヤリアを介して取り付けられるものであつて、前記キヤリアは基端部にタインに嵌合されかつ保持ピンにより固定される断面方形の中空部を、先端側の固形部にテーパ孔からなるソケツトをそれぞれ有し、前記掘削刃は基端部に前記テーパ孔に嵌合しかつ保持ピンにより固定される先細りのテーパ軸部を、先端部に円推形のチツプを結合した頭部をそれぞれ有し、前記中空部の中心軸線に対し前記テーパ孔の中心軸線が交差することを特徴とする縦挽き鋸ブーツ。
【発明の詳細な説明】
【技術分野】
【０００１】
本発明はブルドーザなどの動力車両から前方へ突出するブームに水平軸により回転可能に支持した突片からなるタイン（作業器具の取付具）に係合される、改良された縦挽き鋸ブーツ、詳しくは硬質材料の削裂に関与する分野に用いる縦挽き鋸ブーツに関するものである。本発明の縦挽き鋸ブーツの好適な使用はオパール鉱山である。鉱山の硬質の地質にはオパールが存在するはずである。
【背景技術】
【０００２】
縦挽き鋸ブーツは非常に固い岩石ないし固くなつた土壌に直面し、典型的にはオパールのような非常に貴重な岩石を貫通して掘削する土地に使用される。縦挽き鋸ブーツはキヤリアを備えており、キヤリアはブルドーザ・タインに固定され、かつ典型的にはキヤリアの鼻部に固定された掘削刃部は岩石を瞬時に約３００ｍｍの深さに削り裂いて、オパール鉱山では緩んだ岩石を圧潰する。その間、探索人はオパールの形を確かめる。掘削刃は交換可能である。本発明では従来の縦挽き鋸ブーツの幾つかの問題を確認してきた。
【０００３】
第１に幾つかの交換可能の掘削刃は回転の仕方で、縦挽き鋸ブーツに固定される。回転掘削刃のもつ問題は、作動中に岩石を研磨することにより、岩石が掘削刃の軸部と縦挽き鋸ブーツ本体の間の部分に侵入することである。このことは掘削刃の軸部が回転する時かなりの磨耗と引裂きを起す。結果的に、前記掘削刃の軸部は過大な荷重で金属疲労による破壊をもたらす。他の問題は掘削刃が作動中に動いたりびびつたりする傾向があり、これも好ましくない。さらに、細かい粘度は他の同様の材料からなる掘削刃のテーパ軸部を取りまく部分に付着し、掘削刃から殆ど取り除くことができなくなる。回転掘削刃を有する実存の縦挽き鋸ブーツは、製造費が嵩み、縦挽き鋸ブーツの利用は狭い分野に限られる。さらに、本発明は打ち角(angle of attack)つまり縦挽き鋸ブーツが土壌を引き裂く角度 は、掘削動作に非常に重要であることが分つている。従来の縦挽き鋸ブーツでは、打ち角はブルドーザ・タインの端部の角度によりよく手入れされている。なぜなら、縦挽き鋸ブーツを支持するのがブルドーザ・タインだからである。ブルドーザ・タインの位置は調節可能であるが、運動が制限され、必要な打ち角は得られない。
【０００４】
掘削刃が鋭角すぎる角度で岩石を引裂く時、研磨面は磨きすぎ、縦挽き鋸ブーツはびびり、縦挽き鋸ブーツに磨耗と引掻きを起し、縦挽き鋸ブーツに金属疲労と重大な破壊を起す結果になる。かかる環境では、ブルドーザに作用する負荷は増加し、燃料消費率の増大に至る。掘削刃のチツプも引きずり、打ち角が鋭すぎ、掘削刃が倒れ、裂け出す。一般に、打ち角が正しくないと、縦挽き鋸ブーツの必要とする引裂き効果は低下する。実際に、打ち角の非常に小さな変化は引裂き動作に重要な効果をもたらすことが分つている。
【特許文献１】US 5947209
【発明の開示】
【発明が解決しようとする課題】
【０００５】
したがつて、本発明の第１の目的は少くとも幾つかの前述した問題を克服し、縦挽き鋸ブーツを有用なものとして公に提供することにある。
【０００６】
本発明の第２の目的はかかる付属品の構造に改良を施して、さらには有用な付属品を公に提供することである。
【課題を解決するための手段】
【０００７】
上記課題を解決するために、本発明の構成は縦挽き鋸ブーツとして、キヤリアが動力車両の軸部に固持され、掘削刃は円推形の頭部がテーパ軸部よりも短くなつており、少くとも掘削刃の一部が高抗張力材料で構成され、刃収容部に内方テーパ状のテーパ孔からなるソケツトを有し、かつ前記掘削刃のテーパ軸部が前記ソケツトのテーパ孔に離脱可能に係合するようになつていることを特徴とする。
【発明の効果】
【０００８】
上述したように交換可能の掘削刃をキヤリア１４に接続すると、数多くの利益が得られる。
【０００９】
第１に、回転掘削刃に重要な問題は、操作中に異物が掘削刃の各面に摩擦して金属疲労を招き、掘削刃に欠陥をもたらす。しかし、掘削刃が固定されるので、操作中のがたがたという騒音が低減する。掘削刃の磨耗と摩耗粉の量も低減する。掘削刃の軸部３２と雌ソケツトとの間の隙間にもはや泥が浸入することはない。
【００１０】
第２に、キヤリアのテーパ孔と掘削刃のテーパ軸部との干渉係合（テーパ係合）は掘削粉が容易に剥離し、細い粘土がもはや掘削刃の周囲に付着することはない。本発明の序言で述べたように、これはしばしば掘削刃が外れるのを防ぐ。この場合、テーパの簡単な制動（抑え）は掘削刃の脱落を防く。これを達成する手段は短く説明した。
【００１１】
第３に、本発明の縦挽き鋸ブーツはその使用を限定されず、大小のブルドーザ引裂具、ドーザの掘削刃支持具、ドラグラインバケツト、浚渫バケツト、エキスカベータ、ローダバケツトの掘削刃など、幅広い構成に関連して用いられる。かかるブーツは製造費の高いものではない。
【発明を実施するための最良の形態】
【００１２】
本発明の一形態として、動力車両の軸部に固く連結されたキヤリアと、内方テーパ状のテーパ孔からなるソケツトを有する刃収容部と、前記ソケツトのテーパ孔に取外し可能に係合するテーパ軸部が、部分的に高抗張力材料で構成される頭部よりも短い掘削刃とに特徴をもつ縦挽き鋸ブーツが提案される。
【００１３】
前記刃収容部は内方テーパ状のテーパ孔からなるソケツトを有し、掘削刃はテーパ軸部と頭部を有し、前記頭部は前記テーパ軸部よりも短く、少くとも一部が高抗張力材料で構成され、前記テーパ軸部は前記ソケツトのテーパ孔に対応するテーパになつていて取外し可能である。
【００１４】
好ましくは、前記掘削刃の頭部はテーパ軸部の長さのほぼ半分である。
【００１５】
好ましくは、前記分離可能の係合は、内方テーパをなすテーパ孔からなるソケツトと、対応する掘削刃のテーパ軸部とが外面で接触する干渉係合（テーパ孔とテーパ軸の嵌合）である。
【００１６】
一方、ソケツトのテーパ孔と掘削刃のテーパ軸部の断面は、角隅部に丸みをもつ方形のものである。
【００１７】
好ましくは、キヤリアは中央に長手方向の軸部（中心軸線）を有し、ソケツトのテーパ孔と刃収容部とはソケツト長手方向の中心軸線に沿つて配設される。
【００１８】
好ましくは、掘削刃のテーパ軸部とソケツトのテーパ孔を横切る溝の軸部が、前記ソケツトのテーパ孔に嵌合する時、両者は同軸に並び、保持ピンの挿入を許す。
【００１９】
好ましくは、掘削刃の頭部は径外方へ延びる肩を備えており、ソケツトの内部から掘削刃の取外しを助ける。
【００２０】
好ましくは、前記刃収容部は排出孔を備えており、縦挽き鋸ブーツの外部から前記ソケツトの基部へ延びる特殊な工具を用いて掘削刃の離脱を可能にする。
【００２１】
有利なことに、前記掘削刃の頭部はほぼ円錐形をなし、先端は高抗張力材料からなるチツプになつている。
【００２２】
好ましくは、前記高抗張力材料のチツプはタングステン金属からつくられる。
【００２３】
本発明の他の形態として、ブルドーザ工具または同効装置で取り付けられ、かつ次のような構成をもつ縦挽き鋸ブーツが提案される。つまり、縦挽き鋸ブーツは長手方向の軸（中心軸線）を有し、前記工具に固く取り付けられるようになつているキヤリアと、前記キヤリアの長手方向軸線に対し一定の角度に延びる内方テーパ孔からなるソケツトを有する刃収容部と、前記頭部が前記テーパ軸部よりも短く、少くとも一部が高抗張力材料で構成され、かつ前記ソケツトのテーパ孔に対応するテーパ軸部をなす掘削刃とを具備し、テーパ軸部がテーパ孔に分離可能に係合する縦挽き鋸ブーツが提案される。
【００２４】
好ましくは、前記掘削刃の頭部は前記テーパ軸部の長さのほぼ半分である。
【００２５】
好ましくは、前記分離可能の係合は、操作中にソケツトの内方テーパ孔の内面とこれに対応するテーパ軸部の外面とが接する時干渉係合（テーパ係合）を達成する。
【００２６】
好ましくは、ソケツトと掘削刃のテーパ軸部との各断面は角隅部が丸みを有する方形のものである。
【００２７】
一方、ソケツトと掘削刃との断面は丸くなつている。
【００２８】
好ましくは、使用中にキヤリアは通常掘削面の方へ垂直に向けられ、掘削刃の打ち角はキヤリアの長手方向の中心軸線から外方に向けられ、掘削刃の頭部が前記掘削面とほぼ平行に延びている。
【００２９】
好ましくは、打ち角はキヤリアの長手方向軸線から上方へ０〜９０°である。
【００３０】
好ましくは、打ち角はキヤリアの長手方向軸線から上方へ０〜１０°である。
【００３１】
好ましくは、打ち角はキヤリアの長手方向軸線から上方へ６°である。
【００３２】
こうして、本発明のさらなる形態として、掘削刃は掘削刃の打ち角が急勾配で掘削面と殆ど平行になるように、キヤリアに関し上方へ傾けられる縦挽き鋸ブーツが提供される。この場合、打ち角を変えると、ブーツの引裂き効果が増加し、地面での縦挽き鋸ブーツのぶれや引擦りが緩和し、磨耗や引裂きが減り、掘削刃が破損する恐れが少くなると同時に、ブルドーザの負荷が減少し、燃料消費量も少なくなることが分かつている。
【００３３】
好ましくは、前記掘削刃の取付部は剛固な固体部材になつており、前記キヤリアと一体に形成され、キヤリアから一定の角度に延びている。
【００３４】
好ましくは、前記ソケツトは固体部材の内部に形成され、かつ掘削刃取付部と同じ軸線に沿つて延びる。
【００３５】
また、前記掘削刃の取付部はキヤリアと一体に形成された固体部材になつており、キヤリアの長手方向の中心軸線に沿つて延びている。
【００３６】
好ましくは、前記ソケツトは固体部材の内部に位置決めされ、キヤリアの長手方向の中心軸線に関して所定の角度に延びる。
【００３７】
好ましくは、掘削刃のテーパ軸部と掘削刃の収容部はこれらを横切る溝を備えている。前記テーパ軸部がソケツトのテーパ孔に係合する時、該溝は同軸に並び、保持ピンの挿入を許す。
【００３８】
好ましくは、掘削刃の頭部はソケツトの内部から掘削刃の取外しに都合のよい径外方へ延びる肩を備えている。
【００３９】
好ましくは、前記掘削刃の収容手段は、縦剃り鋸ブーツの内部から前記ソケツトの基部へ延びる排出孔を備えており、適切な工具を用いて前記ソケツトから掘削刃を取り出すことができる。
【００４０】
好ましくは、前記掘削刃の頭部は円錐形をなし、先端の丸いチツプは高抗張力材料で構成される。
【００４１】
有利な点では前記高抗張力材料のチツプはタングステン金属からなる。
【実施例】
【００４２】
以下、添付図面を参照して、本発明を詳細に説明する。詳細な説明には具体的実施例を含むが、本発明の精神と範囲を逸脱しない他の変更実施例も可能である。添付の図面を通じて、可能な限り同じ符号が同じ部材に付けられる。次の図面の説明には、できるだけ同じ部品に同じ符号を用いたので、次の説明にも同じ部品の同じ符号が参照される。
【００４３】
本発明は３つの異なる実施例１０ａ，１０ｂ，１０ｃに基づく縦挽き鋸ブーツに関するものである。縦挽き鋸ブーツ１０ａは図１〜７に示され、縦挽き鋸ブーツ１０ｂは図８〜１０に示され、縦挽き鋸ブーツ１０ｃは図１１，１２に示される。図１３に示すブルドーザ１２に、縦挽き鋸ブーツのいずれか１つが取り付けられる。説明を簡単にするため、第１の縦挽き鋸ブーツ１０ａだけが詳細に説明される。他の縦挽き鋸ブーツの同様の部品は再び説明はせず、同じ符号を参照する。
【００４４】
図面を参照すると、図１〜５に示す本発明の交換可能の縦挽き鋸ブーツは、キヤリア１４と交換可能の掘削刃１６を備えている。図１３に示すように、操作中にキヤリア１４はブルドーザ１２または他の地上移動機械の縦挽き鋸ブーツ・タイン１８と係合するよう取り付けられる。ブルドーザ１２の種々の部品については、業界で技術上よく知られ、縦挽き鋸ブーツの先刃から離れているのでここでは説明しない。本発明が関係する残る部品は、特別な機能を発揮しない。
【００４５】
キヤリア１４が残りの保持ピン２４に関連してタイン（支持具）１８に係合するよう縦挽き鋸ブーツ１０ａのキヤリア１４が設計されている。キヤリア１４は縦挽き鋸ブーツの工具に役立つ係合に適合され、また何か必要な付属品は保持ピン２４よりも他の部品を意味し、対向して配置された保持孔２０が使われることが分かる。
【００４６】
縦挽き鋸ブーツのキヤリア１４は、その全部品がその効果を考慮して所定の位置に保持される。キヤリア１４は前部に固形部２６を備えている。この固形部２６は重量があり、ある程度掘削機能を助ける。固形部２６は交換可能の掘削刃１６を固定的に収容する雌ソケツトないしテーパ孔２８を備えている。テーパ孔２８は方形断面のものであり、長手方向の壁面を備えている。中空部２２に隣接するテーパ孔の断面寸法は、刃端に隣接するものよりも小さい内方が先細りの内方テーパになつている。雌ソケツト２８の４つの縁部は付加的強度のために丸みを付けられている。
【００４７】
交換可能の掘削刃１６は頭部３０と軸部３２を形成される。交換可能の掘削刃１４の軸部３２はキヤリア１４の雌ソケツト２８に対応した形状にされる。すなわち、掘削刃もテーパ軸部を備えており、断面は角隅部が丸みをもつ方形のものである。この形はテーパ軸部３２に干渉係合の方法で雌ソケツト２８のテーパ孔に対応する形状とされる。熟達した技術者が実現したように、干渉係合は非常に強く、交換可能の掘削刃１６に全く回転を許さず、テーパ軸部３２の外壁と雌ソケツトのテーパ孔の内壁との間へ異物が入らないことを保証する。好ましくは、雌ソケツト２８のテーパ孔の寸法がテーパ軸部３２の寸法に対応するように鋳造される。
【００４８】
掘削刃１６が雌ソケツトのテーパ孔に固定されると、頭部３０は縦剃り鋸ブーツの固形部２６から長手方向へ突出する。したがつて、固形部２６とほぼ同じ角度で先細りとなる。掘削過程で損壊しないようにするために、掘削刃の頭部はキヤリア１４から外方へ突出しすぎないように設計される。交換可能の掘削刃１６の端部に取り付けられた先細りのチツプ３４は、例えばタングステンのような高抗張力材料から作られる。チツプ３４は交換可能の縦挽き鋸ブーツの掘削刃１６に簡単に溶接される。超強度の岩石でも貫通するのを確保されるので、縦挽き鋸ブーツのチツプに存在する問題は容易に解消する。
【００４９】
使用中に交換可能の掘削刃１６が常にキヤリア１４の内部に固定されるのを確保するために、好ましくは、保持ピン３６が第２の固定手段として用いられる。図６，７に示した縦挽き鋸ブーツ１０は固定手段として保持ピンを備えている。掘削刃１６はテーパ軸部の外面を横切つて延びる溝３８を有し、該溝３８がソケツト２８のテーパ孔の内部へ完全に臨むと、キヤリア１２の固形部２６を横切つて延びる通孔４０と同軸に並ぶようになる。一旦ある部位に並ぶと、保持ピン３６はその部位に掘削刃１６を固定するように並ぶ通孔４０を経て簡単に挿入される。
【００５０】
干渉係合（テーパ嵌合）はソケツトの内部に係合した掘削刃を保持するのに好適であると考えられるが、必要により、第２の固定手段が用いられてもよい。固定手段の断面は圧縮可能でなければならず、挿入に続いて断面は固い係合をなすように拡張される。図６，７に示す縦挽き鋸ブーツの他の全ての構成は、図１〜５のものと同じである。
【００５１】
キヤリアから掘削刃を外すことは多くの方法で達成される。掘削刃１６は頭部３０から径外方へ延びる突起ないし肩４２を備えており、掘削刃１６を外しやくなつている。長時間の使用で掘削刃が磨耗した時、肩４２に適当な工具を係合して岩石を引裂きだす。
【００５２】
一方、掘削刃１６はプツシユロツド（図示せず）または他の同様の工具を、キヤリア１４の中空部から雌ソケツト２８へ延びる排出孔４４を経て挿入する方法で外される。熟達した技術者が評価するように、掘削刃が雌ソケツトの内部にロツクされると、このような動作は雌ソケツト２８から掘削刃１６に力を及ぼす。
【００５３】
一方、掘削刃１６の形状は変化するものと考えられている。この場合、尖つたチツプ３４は一点で終る前に２倍の内方テーパを備えている。この特長、つまりチツプ３４が高強度の特性をもつ特長は、超硬度の岩石でも最小のスリツプで貫通し、現存する縦挽き鋸ブーツのチツプが簡単に磨耗するということに関連する問題は緩和される。しかし、他の型のチツプはシングルテーパのチツプまたはカーブドチツプとして利用される。さらに、掘削刃のテーパ軸部３２やキヤリアのソケツト２８のテーパ孔の断面形状および通孔４０の形状が方形である必要はなく、まだ干渉係合を達し得るものを提供する３角形または円形のような他の形状のものでもよい。
【００５４】
さらに、縦挽き鋸ブーツの軸部３２に隣接する部分の雌ソケツト２８も変形すると考えられる。例えば、図にはテーパ軸部３２の端部とソケツト２８のテーパ孔の端部との間に隙間４６ないし排出孔４４が見られる。他の例では、本発明の実施例の第２，第３の場合として、中空部２２を経て簡単に全長まで延びるソケツト２８のテーパ孔の壁面に見られる。さらに変形したものには縦挽き鋸ブーツの中空部とソケツト２８のテーパ孔との間にギヤツプが全くないものがある。
【００５５】
使用中は固定される交換可能の掘削刃の使用に当つて、本発明に開示されたように、縦挽き鋸ブーツの騒音、削掘刃の磨耗や傷、削掘刃の破損などを著しく減じる他の問題は、以前から遭遇している問題と見られる。より詳しくは、かかる縦挽き鋸ブーツがブルドーザの負荷低減による１０％以上の燃費節減、５０％の稼働時間の短縮などが利益に結果をもたらしている。なぜなら、詳しくは岩石を正確に引裂く能力が、１０〜２０％も高くなつた製造費を含む総費用の節減になるからである。
【００５６】
第２に、図８，９に示す本発明の実施例は上述したものと同じように、掘削刃１６の干渉係合された縦挽き鋸ブーツに関するものであるが、打ち角（angle of attack）の代替 を含む。この打ち角の概念は、本発明の縦挽き鋸ブーツ１０ｂを説明して、図１０で明らかに評価されている。
【００５７】
これは比較の目的で破線で示した従来の縦挽き鋸ブーツ４８と同じである。キヤリア１４は従来のものと同じく長手方向に延び、完全に組合わされた時、従来の縦挽き鋸ブーツ４８の固形部はキヤリア１４に関して上方に傾斜されることが当業者に評価されるであろう。
【００５８】
固形部２６の角度は明瞭化のためにごく簡単に図に示すが、実験を通じて、キヤリア本体の長手方向軸線からほぼ６°であることが最適であることを見い出した。この角度では、掘削刃の外面は引裂かれる岩石の層とほぼ平行に並ぶ。この層は典型的なものであるが、常に地面と平行であるものとは限らない。
【００５９】
現存する縦挽き鋸ブーツは縦挽き鋸ブーツ１０ｂの特長を含むように修正されてもよい。例えば、縦挽き鋸ブーツによるカツトは、第１の実施例に係る縦挽き鋸ブーツ１０ａのキヤリア１４と固形部２６との間の連結部になされる。カツトはキヤリアの長手方向軸線に関し必要な角度になされる。次いで、キヤリア１４の端部に溶接されると、当業者は掘削刃がカツトの角度に対応する角度に延びることを評価するであろう。
【００６０】
掘削刃がこの角度に位置決めされると、縦挽き鋸ブーツはこれまでの公知の縦挽き鋸ブーツよりも効率的に地面を切裂き、結果として上述した騒音の低減、掘削刃の磨耗と傷、ブルドーザの負荷低減を達し、利益を得ることになる。固形部２６がキヤリア１４に関して延びている角度が、必要とする操作に対応したものをつくると理解すべきである。
【００６１】
図１１，１２は本発明の第３の構成に係る縦挽き鋸ブーツ１０ｃを示す。第１実施例の縦挽き鋸ブーツ１０ａの場合、縦挽き鋸ブーツ１０ｃは縦挽き鋸ブーツ１０ｂに対し傾斜されている固形部２６よりも僅かに異なり、縦挽き鋸ブーツ１０ｃはキヤリア１４に関し長手方向に延びる。この場合、大きな打ち角が雌ソケツト２８を備えることにより達せられ、掘削刃１６がそこから前記角度で外方へ延びるように、固形部２６を経て所定の角度に鋳造される。図１１，１２には再び説明の時間短縮のために前述したと同じ符号が付される。
【００６２】
角度はこのように利用され、掘削刃１６は僅かに上方へ延びるので、地面と平行になる。打ち角を上向きとする利益は、上述した本発明の第３の実施例で提供される。
【００６３】
説明してないが、この縦挽き鋸ブーツ１０ｃは前にも述べた付加的固定のための保持ピンを備えることができると理解すべきである。
【００６４】
キヤリア１４と固形部２６との間の交差部にカツトを入れて、縦挽き鋸ブーツ１０ａに第３の実施例に係る掘削刃を備え、固形部２６と鋳造された上向きの通孔ないしソケツトに簡単に配設するように修正してもよい。
【００６５】
さらなる利点と改良を本発明の範囲から逸脱することなく施してもよい。何が最も実用的かつ好適な実施例であるかについて示しかつ説明したが、ここに開示した詳細に限らず、出発点は本発明の範囲と精神であると理解される。しかし、請求の範囲はすべて等価の器具、装置を包含するものにするべきである。
【００６６】
背景が大体の言語または必要な意味を表す以外に、いかなる請求の範囲にも本発明の要約が加味される。言語comprisingはincludingの意味、即ち特定の特長が本発明の種々の 実施例のさらなる特長とに組み合わされる。
【図面の簡単な説明】
【００６７】
【図１】本発明の第１の態様に係る改良された縦挽き鋸ブーツを後方から見た斜視図である。
【図２】図１の前方から見た改良された縦挽き鋸ブーツの斜視図である。
【図３】図１の改良された縦挽き鋸ブーツの側面断面図である。
【図４】図１の改良された縦挽き鋸ブーツの平面断面図である。
【図５】図１の改良された縦挽き鋸ブーツの平面断面図である。
【図６】保持ピンを有する改良された縦挽き鋸ブーツの側面断面図である。
【図７】保持ピンを有する改良された縦挽き鋸ブーツの平面断面図である。
【図８】本発明の第２の態様に係る改良された縦挽き鋸ブーツの平面断面図である。
【図９】図８の改良された縦挽き鋸ブーツの側面断面図である。
【図１０】従来の縦挽き鋸ブーツが破線で示される場合の、ブルドーザ・タインに結合された図８の改良された縦挽き鋸ブーツの概略側面図である。
【図１１】本発明の第３の態様に係る改良された縦挽き鋸ブーツの平面断面図である。
【図１２】図１２の改良された縦挽き鋸ブーツの側面断面図である。
【図１３】本発明の全ての態様に係るブルドーザ・タインに取り付けられたブルドーザ・タインに取り付けられ、かつ改良された縦挽き鋸ブーツを有するブルドーザを示す。
【符号の説明】
【００６８】
１０ａ：縦挽き鋸ブーツ  １２：ブルドーザ  １４：キヤリア  １６：掘削刃  １８：タイン  ２０：保持孔  ２２：中空部  ２４：保持ピン  ２６：固形部  ２８：雌ソケツト  ３０：頭部  ３２：軸部  ３４：チツプ  ３６：保持ピン  ３８：溝  ４０：通孔  ４２：肩  ４４：排出孔  ４８：縦挽き鋸ブーツ
【図１】
2009506232.tif 000003
【図２】
2009506232.tif 000004
【図３】
2009506232.tif 000005
【図４】
2009506232.tif 000006
【図５】
2009506232.tif 000007
【図６】
2009506232.tif 000008
【図７】
2009506232.tif 000009
【図８】
2009506232.tif 000010
【図９】
2009506232.tif 000011
【図１０】
2009506232.tif 000012
【図１１】
2009506232.tif 000013
【図１２】
2009506232.tif 000014
【図１３】
2009506232.tif 000015
【国際調査報告】
2009506232.tif 000016
2009506232.tif 000017
2009506232.tif 000018